(57)【要約】【課題】部品組み付けによる累積公差を低減し、用紙検出タイミングの精度を向上させることが可能な定着装置及び画像形成装置を提供する。【解決手段】用紙取出口９ａ及び用紙通過路９ｂを有し、用紙通過路９ｂにおける用紙Ｐの通過有無を検出するための検出センサ５３を内部に収容するハウジング９と、ハウジング９内に配置され、トナー像を用紙Ｐに定着する定着部８と、定着部８の用紙案内方向下流側に揺動可能に配置され、かつハウジング９に用紙取出口９ａを開閉可能に保持され、用紙Ｐを案内する用紙ガイド１２と、用紙ガイド１２に揺動軸１３ｃを介して揺動可能に保持され、用紙通過路９ｂを開閉可能な揺動部材１３とを備え、揺動部材１３は、用紙Ｐの押圧を受ける用紙接触部１３ａ、及び検出センサ５３に対応する遮光部１３ｄを有し、遮光部１３ｄが揺動軸１３ｃに設けられている。【選択図】図１
2010217414.tif 000002
【特許請求の範囲】
【請求項１】
用紙を取り出すための用紙取出口、及び用紙を通過させる用紙通過路を有し、前記用紙通過路における用紙の通過の有無を検出するための検出センサを内部に収容するハウジングと、
前記ハウジング内に配置され、トナー像を用紙に定着する定着部と、
前記定着部の用紙案内方向下流側に開閉可能に配置され、かつ前記ハウジングに前記用紙取出口を開閉可能に保持されて用紙を案内する用紙ガイドと、
前記用紙ガイドに揺動軸を介して揺動可能に保持され、用紙の押圧を受ける用紙接触部、及び前記揺動軸に設けられ、前記検出センサに対応する遮光部を有する揺動部材と、
を備えた定着装置。
【請求項２】
前記用紙ガイドは、前記定着部の用紙案内方向下流側に用紙を搬送する搬送ロールを備え、
前記揺動軸は、前記用紙接触部が前記用紙から押圧を受ける位置から前記搬送ロールよりも離れた位置に配置されている請求項１に記載の定着装置。
【請求項３】
前記揺動部材の前記遮光部は、前記用紙ガイドによる前記用紙取出口の開放状態において、互いに対向する１対のリブ間に配置されている請求項２に記載の定着装置。
【請求項４】
前記ハウジングは、第１ハウジング，第２ハウジング及び第３ハウジングからなり、前記第１ハウジング及び前記第２ハウジングによって前記定着部を収容し、前記第２ハウジング及び前記第３ハウジングによって前記検出センサを収容する請求項３に記載の定着装置。
【請求項５】
前記ハウジングは、前記第２ハウジング及び前記第３ハウジングが前記検出センサを用紙搬送領域外で収容する位置に配置されている請求項４に記載の定着装置。
【請求項６】
請求項１乃至５のいずれか１項に記載の定着装置と、用紙に画像を形成する画像形成部とを備えた画像形成装置。
【発明の詳細な説明】
【技術分野】
【０００１】
本発明は、定着装置及び画像形成装置に関する。
【背景技術】
【０００２】
従来の画像形成装置として、感光体ドラム上に形成された静電潜像をトナーによって現像（可視化）し、この可視化されたトナー像を用紙上に転写・定着することにより画像形成を行うものがある（例えば、特許文献１参照。）。
【０００３】
このような画像形成装置は、用紙上のトナー像を定着する定着器と、定着器の用紙排出口に開放可能に設けられ、トナー像が定着された用紙を用紙排出部へ案内する用紙ガイドと、定着器に設けられ、用紙に押されて揺動するアームと、アームを揺動可能に定着器に支持するシャフトと、アームの揺動に伴って揺動する板片と、画像形成装置本体に設けられ、板片の揺動によって用紙の有無を検出するフォトセンサと、用紙ガイドの開放とともにアームを回転させる案内部とを備える。
【０００４】
この構成によれば、定着器で用紙詰まりが発生した場合に、用紙ガイドを開放したとき、アームが用紙ガイドの開放とともに回転するため、アームが用紙の取り出しの妨げとならない。
【先行技術文献】
【特許文献】
【０００５】
【特許文献１】特開２０００−２２１８１８号公報
【発明の概要】
【発明が解決しようとする課題】
【０００６】
本発明の目的は、部品組み付けによる累積公差を低減し、用紙検出タイミングの精度を向上させることが可能な定着装置及び画像形成装置を提供することにある。
【課題を解決するための手段】
【０００７】
本発明は、上記目的を達成するため、以下の定着装置及び画像形成装置を提供する。
【０００８】
［１］用紙を取り出すための用紙取出口、及び用紙を通過させる用紙通過路を有し、前記用紙通過路における用紙の通過の有無を検出するための検出センサを内部に収容するハウジングと、前記ハウジング内に配置され、トナー像を用紙に定着する定着部と、前記定着部の用紙案内方向下流側に開閉可能に配置され、かつ前記ハウジングに前記用紙取出口を開閉可能に保持されて用紙を案内する用紙ガイドと、前記用紙ガイドに揺動軸を介して揺動可能に保持され、用紙の押圧を受ける用紙接触部、及び前記揺動軸に設けられ、前記検出センサに対応する遮光部を有する揺動部材と、を備えた定着装置。
【０００９】
［２］前記用紙ガイドは、前記定着部の用紙案内方向下流側に用紙を搬送する搬送ロールを備え、前記揺動軸は、前記用紙接触部が前記用紙から押圧を受ける位置から前記搬送ロールよりも離れた位置に配置されている前記［１］に記載の定着装置。
【００１０】
［３］前記揺動部材の前記遮光部は、前記用紙ガイドによる前記用紙取出口の開放状態において、互いに対向する１対のリブ間に配置されている前記［２］に記載の定着装置。
【００１１】
［４］前記ハウジングは、第１ハウジング，第２ハウジング及び第３ハウジングからなり、前記第１ハウジング及び前記第２ハウジングによって前記定着部を収容し、前記第２ハウジング及び前記第３ハウジングによって前記検出センサを収容する前記［３］に記載の定着装置。
【００１２】
［５］前記ハウジングは、前記第２ハウジング及び前記第３ハウジングが前記検出センサを用紙搬送領域外で収容する位置に配置されている前記［４］に記載の定着装置。
【００１３】
［６］前記［１］乃至［５］のいずれか１つに記載の定着装置と、用紙に画像を形成する画像形成部とを備えた画像形成装置。
【発明の効果】
【００１４】
請求項１、６に記載された発明によると、部品組み付けによる累積公差を低減し、用紙検出タイミングの精度を向上させることが可能となる。
【００１５】
請求項２に記載された発明によると、揺動部材の揺動軸がトナーの飛散を受けて揺動し難くなるのを抑制することができる。
【００１６】
請求項３に記載された発明によると、揺動部材の遮光部が１対のリブによって保護される。
【００１７】
請求項４、５に記載された発明によると、定着部から検出センサを隔離し、検出センサに及ぼすハウジング内におけるエアフローの影響を低減することができる。
【図面の簡単な説明】
【００１８】
【図１】図１は、本発明の実施の形態に係る画像形成装置の全体の構成を示す図である。
【図２】図２は、本発明の実施の形態に係る定着装置の全体を示し、図２（ａ）は、定着装置における用紙取出口の閉鎖状態を示す斜視図、図２（ｂ）は、定着装置における用紙取出口の開放状態を示す斜視図である。
【図３】図３は、本発明の実施の形態に係る定着装置における定着部を説明するために示す断面図である。
【図４】図４は、本発明の実施の形態に係る定着装置における用紙ガイドを説明するために示す断面図である。
【図５】図５は、本発明の実施の形態に係る定着装置における用紙ガイドの揺動軸を説明するために示す斜視図である。
【図６】図６は、本発明の実施の形態に係る定着装置における揺動部材を説明するために示す断面図である。
【図７】図７（ａ）及び（ｂ）は、本発明の実施の形態に係る定着装置における揺動部材を説明するために示す斜視図である。図７（ａ）は検出センサのＯＦＦ状態を、また図７（ｂ）は検出センサのＯＮ状態をそれぞれ示す。
【図８】図８（ａ）及び（ｂ）は、本発明の実施の形態に係る定着装置が適用された画像形成装置の動作を説明するために示す斜視図である。図８（ａ）は検出センサのＯＦＦ状態を、また図８（ｂ）は検出センサのＯＮ状態をそれぞれ示す。
【図９】図９は、本発明の実施の形態に係る定着装置において紙詰まりが発生した場合の用紙取り出し動作を説明するために示す斜視図である。
【発明を実施するための形態】
【００１９】
［第１の実施の形態］
先ず、本発明の実施の形態に係る画像形成装置について、図１を参照して説明する。図１は、画像形成装置の全体の構成を示す図である。
【００２０】
（画像形成装置の全体構成）
図１において、画像形成装置１００は、例えばタンデム型の画像形成装置であり、装置筐体１０１を有するとともに、画像形成部１０２，用紙供給部１０３，排紙部１０４及び排紙反転部１０５を装置筐体１０１に内蔵し、例えば複写機に適用される。
【００２１】
（装置筐体１０１の構成）
装置筐体１０１は、その上部に排出トレイ１０６を有し、画像形成部１０２，用紙供給部１０３，排紙部１０４及び排紙反転部１０５等を収容する収容空間１０７が内部に設けられている。装置筐体１０１内には、用紙供給部１０３から画像形成部１０２に至る搬送経路１０８、画像形成部１０２から排紙部１０４に至る排紙経路１０９、及び排紙経路１０９の分岐部１０９ａから画像形成部１０２に至る反転経路１１０が設けられ、さらに排紙経路１０９と反転経路１１０との間で用紙Ｐの経路を切り替える切替レバー１１１が配置されている。
【００２２】
（画像形成部１０２の構成）
画像形成部１０２は、イエロー（Ｙ）のトナー像を形成する第１の画像形成ユニット２Ｙと、マゼンタ（Ｍ）のトナー像を形成する第２の画像形成ユニット２Ｍと、シアン（Ｃ）のトナー像を形成する第３の画像形成ユニット２Ｃと、ブラック（Ｋ）のトナー像を形成する第４の画像形成ユニット２Ｋと、１次転写位置に配置されて画像形成ユニット２Ｙ，２Ｍ，２Ｃ，２Ｋによってそれぞれ形成されたイエロー，マゼンタ，シアン，ブラックのトナー像を中間転写ベルト３０に転写する転写装置３Ｙ，３Ｍ，３Ｃ，３Ｋと、中間転写ベルト３０の矢印Ｒ方向に回転駆動する駆動ロール４と、中間転写ベルト３０を所定の張力で回転可能に支持する支持ロール５Ａ〜５Ｃと、中間転写ベルト３０の表面を清掃するクリーニング部６と、中間転写ベルト３０に転写されたトナー像を用紙Ｐに２次転写する２次転写ロール７と、用紙Ｐに転写されたトナー像を加熱溶融して定着する定着部８を有する定着装置２２と、感光体ドラム２０を露光する露光装置３１とを有し、用紙供給部１０３の上方に配置され、かつ収容空間１０７に収容されている。
【００２３】
露光装置３１は、各色（Ｙ，Ｍ，Ｃ、Ｋ）の画像データに基づいて変調されたレーザビーム３１０によりミラー３１１を介して感光体ドラム２０を露光し静電潜像を形成する。定着装置２２の詳細については後述する。
【００２４】
画像形成ユニット２Ｋ，２Ｙ，２Ｍ，２Ｃは、装置筐体１０１に対して装着可能に構成されており、それぞれが感光層を表面に有する感光体ドラム２０と、露光前の感光体ドラム２０を帯電する帯電装置２１と、感光体ドラム２０に形成された静電潜像に対応する各色のトナーで現像する現像装置２３と、感光体ドラム２０を除電する除電装置２５と、１次転写後の感光体ドラム２０に残留した残トナーを除去するドラム清掃部２６とを有している。
【００２５】
現像装置２３は、トナーカートリッジ５２からトナー供給管５０を介してトナーの供給を受けるように構成されている。
【００２６】
（用紙供給部１０３の構成）
用紙供給部１０３は、給紙トレイ１２７と、給紙トレイ１２７内に積載された用紙Ｐのうち最上位の用紙を送出するピックアップロール１２９と、ピックアップロール１２９よって送出された用紙Ｐを１枚ずつ捌く、一対の捌きロール１３０とを備え、画像形成部１０２の下方に配置されている。
【００２７】
給紙トレイ１２７は、装置筐体１０１の収容空間１０７に挿抜可能に収容されている。
【００２８】
捌きロール１３０の下流側には、画像形成ユニット２Ｋ，２Ｙ，２Ｍ，２Ｃでの画像形成のタイミングに同期して駆動される１対のレジロール１３２及び１対のレジロール１３２から画像形成部１０２に向かって用紙Ｐを搬送する搬送ロール１３５が配置されている。
【００２９】
（排紙部１０４の構成）
排紙部１０４は、画像形成部１０２の上方の排出トレイ１０６側に配置され、ユニット本体（図示せず）と、１対の排出ロール（排出・反転用ロール）１３３，１３４とを備える。
【００３０】
排出ロール１３３，１３４は、ユニット本体（図示せず）に回転可能に支持されている。そして、排出ロール１３３，１３４は、画像形成部１０２で画像形成を受けた用紙Ｐを一方側への回転によって外部に排出するように構成されている。また、排出ロール１３３，１３４は、画像形成部１０２で画像形成を受けた用紙Ｐを他方側への回転によって排紙部１０４から排紙反転部１０５に、さらに表裏面が反転した状態で用紙Ｐを複数の搬送ロール３２と共に画像形成部１０２に搬送するように構成されている。
【００３１】
一方の排出ロール１３３は正逆回転用の駆動ロールによって、また他方の排出ロール１３４は従動ロールによってそれぞれ構成されている。排出ロール１３３における回転方向の切り替えは切り替え機構（図示せず）によって行われる。
【００３２】
（排紙反転部１０５の構成）
排紙反転部１０５は、上記排出ロール１３３，１３４と、反転経路１１０に沿って配置された複数の搬送ロール３２とを備える。
【００３３】
（定着装置２２の構成）
次に、本発明の第１の実施の形態に係る定着装置２２について、図２〜図６を参照して説明する。図２（ａ）及び（ｂ）は、定着装置の全体を示す斜視図である。図３は、定着装置の定着部を示す断面図である。図４及び図５は、用紙ガイドの開放状態を示す断面図である。図５は、用紙ガイドの開放状態を示す斜視図である。図６は、揺動部材の揺動状態を示す断面図である。図７（ａ）及び（ｂ）は、揺動部材の揺動軸を示す斜視図である。
【００３４】
図２（ａ）及び（ｂ）に示すように、定着装置２２は、ガイド・部品収容部材としてのハウジング９と、用紙Ｐを搬送する１対の搬送ロール１０，１１と、用紙Ｐに定着する定着部８と、用紙Ｐを排紙部１０４から反転経路１１０へ案内する用紙ガイド１２と、用紙Ｐの移動による押圧によって揺動する揺動部材１３とを備え、排出ロール１３３，１３４（図１に示す）と２次転写ロール７との間に配置され、かつ装置筐体１０１（図１に示す）内に着脱可能に収容されている。
【００３５】
ハウジング９は、第１ハウジング１４，第２ハウジング１５及び第３ハウジング１６からなり、定着装置２２の各構成部品を内部に収容するように構成されている。
【００３６】
ハウジング９には、定着部８におけるジャム発生時に用紙Ｐを取り出すための用紙取出口９ａが設けられている。また、ハウジング９には、排紙経路１０９（図１に示す）の途中部において、定着部８から排紙部１０４に向かって用紙Ｐを通過させるための用紙通過路９ｂが設けられている。
【００３７】
第１ハウジング１４は、互いに対向する１対の側部１４ａ，１４ｂ、及びこれら１対の側部１４ａ，１４ｂを連結する連結部１４ｃを有し、装置筐体１０１内に１対の係止部１４ｄ（一方のみ図示）を介して着脱可能に配置されている。
【００３８】
第１ハウジング１４の連結部１４ｃには、排紙経路１０９（図１に示す）に沿って用紙Ｐを案内するガイド部１４ｅ、及び用紙ガイド１２による用紙取出口９ａの閉鎖状態において揺動部材１３の揺動軸側端部と反対側の用紙接触部１３ａを保持する保持部１４ｆが一体に設けられている。
【００３９】
第２ハウジング１５は、互いに対向する１対の側部１５ａ，１５ｂ、及びこれら１対の側部１５ａ，１５ｂを連結する連結部１５ｃを有し、第１ハウジング１４の前方部に取り付けられている。そして、第２ハウジング１５は、定着部８を第１ハウジング１４と共に収容するように構成されている。
【００４０】
第２ハウジング１５には、反転経路１１０（図１に示す）に沿って用紙Ｐを案内するガイド部１５ｄが設けられている。また、第２ハウジング１５には、検出センサ５３（後述）の導線を挿通させる導線挿通孔（図示せず）が設けられている。
【００４１】
第３ハウジング１６は、第１ハウジング１４の前方に配置され、かつ第２ハウジング１５の側部１５ｂに取り付けられている。そして、第３ハウジング１６は、ハウジング９の用紙通過路９ｂにおいて用紙Ｐの通過の有無を検出するための検出センサ５３を用紙搬送領域外で第２ハウジング１５と共に収容するように構成されている。
【００４２】
これにより、検出センサ５３及び揺動部材１３等の部品組み付けによる累積公差が低減し、揺動部材１３における揺動軸１３ｃの近傍に検出センサ５３を配置することができる。また、定着部８から検出センサ５３を隔離し、検出センサ５３に対する定着部８内におけるエアフローの影響が低減する。
【００４３】
第３ハウジング１６には、遮光部１３ｄを挿抜可能なレバー挿抜孔（図示せず）が設けられている。また、第３ハウジング１６には、レバー挿抜孔の開口周縁に位置し、かつ用紙ガイド１２による用紙取出口９ａの開放状態において遮光部１３ｄを介して互いに対向する１対のリブ１６ａ，１６ｂが一体に設けられている。これにより、用紙ガイド１２による用紙取出口９ａの開放状態において、遮光部１３ｄが１対のリブ１６ａ，１６ｂによって保護される。
【００４４】
一方の搬送ロール１０は、搬送ロール１１の駆動回転によって従動回転するピンチロールからなり、第１ハウジング１４のガイド部１４ｅにロール軸１０ａを介して配置されている。
【００４５】
他方の搬送ロール１１は、モータ５５の駆動によって駆動回転するゴムローラからなり、用紙ガイド１２の第１ガイド部１２ａ及び第２ガイド部１２ｂのうち第１ガイド部１２ａにロール軸１１ａを介して配置されている。
【００４６】
図３に示すように、定着部８は、加熱ロール１７及び加圧部１８からなり、２次転写ロール７（図１に示す）によって用紙Ｐに転写されたトナー像を加熱溶融して定着するように構成されている。
【００４７】
加熱ロール１７は、ヒータ１９を内蔵し、矢印方向に回転する駆動ロールによって形成されている。加圧部１８は、加熱ロール１７の回転によって矢印方向に従動回転する無端の加圧ベルト１８ａと、ベルト内部に設けられた加圧弾性部材１８ｂとにより構成されている。そして、調整レバー（図示せず）によって加熱ロール１７に対するニップ圧を調整し得るように構成されている。
【００４８】
用紙ガイド１２は、定着部８の用紙案内方向下流側に配置され、かつ第２ハウジング１５に支軸１２ｃ〜１２ｅ（後述）を介して用紙取出口９ａを開閉可能に保持されている。これにより、図４に示すように、定着部８におけるジャム発生時に用紙ガイド１２の開操作によって用紙取出口９ａを閉鎖状態から開放（開放角度１６５°程度）し、ハウジング９内の用紙Ｐを用紙取出口９ａからハウジング９外に取り出すことができる。
【００４９】
用紙ガイド１２の内面には、排紙経路１０９（図１に示す）に沿って用紙Ｐを案内する第１ガイド部１２ａが設けられている。用紙ガイド１２の外面には、反転経路１１０（図１に示す）に沿って用紙Ｐを案内する第２ガイド部１２ｂが設けられている。
【００５０】
図５に示すように、用紙ガイド１２には、所定の間隔をもって並列する複数（本実施の形態では３個）の支軸１２ｃ〜１２ｅが設けられている。支軸１２ｃ〜１２ｅの軸線近傍には、例えば発光部５３ａ及び受光部５３ｂを有するフォトセンサからなる検出センサ５３が配置されている。検出センサ５３は、図５、図７に示すように、揺動軸１３ｃの一端に設けられた前述した遮光部１３ｄを検出する。
【００５１】
図６に示すように、揺動部材１３は、第１ハウジング１４の保持部１４ｆに対応する用紙接触部１３ａ、及び搬送ロール１１のロール軸１１ａ（外周面）を回避するように湾曲した中間部１３ｂを有し、用紙ガイド１２に揺動軸１３ｃを介して揺動可能に保持されている。
【００５２】
そして、揺動部材１３は、用紙Ｐの移動による押圧によって保持位置（用紙接触部１３ａが保持部１４ｆに保持される位置）から矢印方向に揺動し、用紙通過路９ｂを開放するように構成されている。また、揺動部材１３は、トーションスプリング（図示せず）の弾撥力によって揺動位置から保持位置に揺動復帰ようにそれぞれ構成されている。
【００５３】
図７に示すように、揺動部材１３は、検出センサ５３に対応する遮光部１３ｄが用紙接触部１３ａ、中間部１３ｂ及び揺動軸１３ｃとともに、ＰＥＴ（ポリエチレンテレフタレート）等の耐熱性樹脂やアルミニウム等の金属から一体的に形成されている。なお、用紙接触部１３ａ及び中間部１３ｂと遮光部１３ｄは、揺動軸１３ｃとは別体で構成され、接着、ネジ止め等により接合されていてもよい。
【００５４】
遮光部１３ｄは、用紙接触部１３ａと並列して配置されている。そして、用紙通過路９ｂ（図６に示す）を開放する方向への用紙接触部１３ａの揺動によって遮光部１３ｄを発光部５３ａと受光部５３ｂとの間から退避させ、また用紙通過路９ｂを閉鎖する方向への用紙接触部１３ａの揺動復帰によって遮光部１３ｄを発光部５３ａと受光部５３ｂとの間へ進行させるようにそれぞれ構成されている。
【００５５】
これにより、遮光部１３ｄが発光部５３ａと受光部５３ｂとの間に進行すると、検出センサ５３がオフ状態となり、用紙通過路９ｂにおける用紙Ｐの「通過無し」が検出される。一方、遮光部１３ｄが発光部５３ａと受光部５３ｂとの間から退避すると、検出センサ５３がオン状態となり、用紙通過路９ｂにおける用紙Ｐの「通過有り」が検出される。
【００５６】
（画像形成装置の動作）
次に、本実施の形態に示す画像形成装置１００の動作について、図１及び図８（ａ），（ｂ）を参照して説明する。図８（ａ）及び（ｂ）はそれぞれ検出センサのオフ状態とオン状態を示す。
【００５７】
図１において、給紙トレイ１２７内に積載された用紙Ｐを用紙送出ユニット（図示せず）によって１枚ずつ分離し、停止中のレジロール１３２，１３２に送出する。
【００５８】
次に、レジロール１３２，１３２に用紙Ｐの先端を突き当て、用紙斜め送りの修正と用紙先端の位置合わせをして用紙Ｐを待機させる。
【００５９】
そして、画像形成部１０２における画像形成のタイミングに同期してレジロール１３２，１３２を回転させて２次転写ロール７に用紙Ｐを給紙し、転写装置３Ｙ，３Ｍ，３Ｃ，３Ｋでトナー像を中間転写ベルト３０に転写した後、２次転写ロール７の位置に給紙された用紙Ｐにトナー像を２次転写する。この後、定着部８で用紙Ｐにトナー像を定着してから、定着部８から用紙Ｐを排出ロール１３３，１３４に向かって搬送する。
【００６０】
この場合、定着部８において、用紙Ｐが揺動部材１３の用紙接触部１３ａを押圧すると、用紙通過路９ｂを開放する方向に用紙接触部１３ａが揺動するため、用紙Ｐが用紙通過路９ｂを通過する。この際、用紙接触部１３ａの揺動動作に連動してその揺動方向に遮光部１３ｄが揺動し、図８（ａ）に示す検出センサ５３の発光部５３ａと受光部５３ｂとの間の位置から図８（ｂ）に示す位置に遮光部１３ｄが退避して検出センサ５３をオン状態する。これにより、用紙通過路９ｂにおける用紙Ｐの「通過有り」が検出される。
【００６１】
この後、用紙Ｐの第１紙面又は第２紙面に画像が形成される場合には、図１に実線で示す位置に配置された切替レバー１１１の近傍を画像形成後の用紙Ｐが通過し、さらに排紙経路１０９の分岐部１０９ａを通過し、排出ロール１３３，１３４の正回転によって排紙部１０４から排紙トレイ１０６に排出される。
【００６２】
一方、用紙Ｐの第１紙面及び第２紙面に画像が形成される場合には、第１紙面に対する画像形成後の用紙Ｐが切替レバー１１１の近傍を通過し、その一部が排紙部１０４から排紙トレイ１０６に排出されると、切替レバー１１１が排紙経路１０９を開放する位置から揺動して排紙経路１０９を閉鎖する位置に配置される。そして、排出ロール１３３，１３４の逆回転によって用紙Ｐがその表裏面を反転させた状態で排紙部１０４から排紙反転部１０５に搬送される。
【００６３】
この後、図１に２点鎖線で示す位置に配置された切替レバー１１１の近傍を用紙Ｐが通過し、さらに反転経路１１０を経てレジロール１３２，１３２に搬送され、用紙Ｐの第２紙面に対する画像形成及び排紙の動作が第１紙面に対する画像形成及び排紙の動作と同様に実行される。
【００６４】
ここで、定着装置２２のハウジング９内で紙詰まりが発生し、ハウジング９内の用紙Ｐをハウジング９外に取り出す動作について、図９を参照して説明する。図９は用紙取出口の開放状態を示す図である。
【００６５】
定着装置２２のハウジング９内の加熱ロール１７と加圧部１８との間に用紙Ｐを挟んだ状態で紙詰まりが発生すると、図９に示すように用紙ガイド１２の開操作によって用紙取出口９ａを閉鎖状態から開放する。この場合、用紙取出口９ａが開放されると、用紙ガイド１２の開操作によって遮光部１３ｄが外部に露呈するが、遮光部１３ｄが１対のリブ１６ａ，１６ｂ間に配置されているため、遮光部１３ｄが１対のリブ１６ａ，１６ｂによって保護される。
【００６６】
次に、調整レバーによって加熱ロール１７に対する加圧部１８のニップ圧を緩和し、ハウジング９内における加熱ロール１７と加圧部１８との間の用紙Ｐを用紙取出口９ａからハウジング９外に取り出す。
【００６７】
以上、本発明の画像形成装置を上記の実施の形態に基づいて説明したが、本発明は上記の実施の形態に限定されるものではなく、その要旨を逸脱しない範囲で種々の態様において実施することが可能であり、例えば次に示すような変形も可能である。
【００６８】
（１）上記実施の形態では、複写機に適用する場合について説明したが、本発明はこれに限定されず、プリンタ又はファクシミリに適用しても勿論よく、複写機，プリンタ及びファクシミリのうち少なくとも２つを組み合わせてなる複合機に適用してもよい。
【００６９】
（２）上記実施の形態では、画像形成装置１００が複数の感光体ドラム２０を用いたカラー画像形成装置である場合について説明したが、本発明はこれに限定されず、単一の感光体ドラムを用いたモノクロ画像形成装置であってもよい。
【符号の説明】
【００７０】
２Ｋ…第１の画像形成ユニット、２Ｙ…第２の画像形成ユニット、２Ｍ…第３の画像形成ユニット、２Ｃ…第４の画像形成ユニット、３Ｋ，３Ｃ，３Ｍ，３Ｙ…転写装置、４…駆動ロール、５Ａ〜５Ｃ…支持ロール、６…クリーニング部、７…２次転写ロール、８…定着部、９…ハウジング、９ａ…用紙取出口、９ｂ…用紙通過路、１０，１１…搬送ロール、１０ａ，１１ａ…ロール軸、１２…用紙ガイド、１２ａ…第１ガイド部、１２ｂ…第２ガイド部、１２ｃ〜１２ｅ…支軸、１３…揺動部材、１３ａ…用紙接触部、１３ｂ…中間部、１３ｃ…揺動軸、１３ｄ…遮光部、１４…第１ハウジング、１４ａ，１４ｂ…側部、１４ｃ…連結部、１４ｄ…係止部、１４ｅ…ガイド部、１４ｆ…保持部、１５…第２ハウジング、１５ａ，１５ｂ…側部、１５ｃ…保持部、１５ｄ…ガイド部、１６…第３ハウジング、１６ａ，１６ｂ…リブ、１７…加熱ロール、１８…加圧部、１８ａ…加圧ベルト、１８ｂ…加圧弾性部材、１９…ヒータ、２０…感光体ドラム、２１…帯電装置、２２…定着装置、２３…現像装置、２４…転写装置、２５…除電装置、２６…ドラム清掃部、３０…中間転写ベルト、３１…露光装置、３２…搬送ロール、５０…トナー供給管、５２…トナーカートリッジ、５３…検出センサ、５３ａ…発光部、５３ｂ…受光部、５５…モータ、１００…画像形成装置、１０１…装置筐体、１０２…画像形成部、１０３…用紙供給部、１０４…排紙部、１０５…排紙反転部、１０６…排出トレイ、１０７…収容空間、１０８…用紙搬送路、１０９…排紙経路、１０９ａ…分岐部、１１０…反転経路、１１１…切替レバー、１２７…給紙トレイ、１２８…用紙送出ユニット、１２９…ピックアップロール、１３０…用紙捌き機構、１３２…レジロール、１３３，１３４…排出ロール、１３５…搬送ロール、３１０…レーザビーム、３１１…ミラー、Ｐ…用紙
【図１】
2010217414.tif 000003
【図２】
2010217414.tif 000004
【図３】
2010217414.tif 000005
【図４】
2010217414.tif 000006
【図５】
2010217414.tif 000007
【図６】
2010217414.tif 000008
【図７】
2010217414.tif 000009
【図８】
2010217414.tif 000010
【図９】
2010217414.tif 000011